(57)【要約】【課題】  本発明は、ぶれの危険の高いタイミングでの撮影を避け、センサやぶれ補正機構を持たなくとも効果的にぶれを防止し、また不必要に撮影開始までのタイムラグが入るのも防止する。【解決手段】  本発明の撮像装置は、被写体の光学像を結像させる光学手段と、光学手段により結像した光学像を電気的に撮像する撮像手段と、撮像手段により撮像した画像データを記憶する記憶手段と、記憶手段による記憶処理の準備を開始するための入力操作を行う準備操作部と、撮像手段による撮影を行い記憶手段による記憶処理の開始を起動するための入力操作を行う撮影操作部とを有している。そして、本発明の撮像装置は、準備操作部による入力操作が行われてから所定期間、撮影操作部による入力操作が行われても撮像手段による撮影を禁止する撮影禁止手段を有することに特徴がある。【選択図】        図２
2006222490.tif 000002
【特許請求の範囲】
【請求項１】
被写体の光学像を結像させる光学手段と、該光学手段により結像した光学像を電気的に撮像する撮像手段と、該撮像手段により撮像した画像データを記憶する記憶手段と、該記憶手段による記憶処理の準備を開始するための入力操作を行う準備操作部と、前記撮像手段による撮影を行い前記記憶手段による記憶処理の開始を起動するための入力操作を行う撮影操作部とを有する撮像装置において、
前記準備操作部による入力操作が行われてから所定期間、前記撮影操作部による入力操作が行われても前記撮像手段による撮影を禁止する撮影禁止手段を有することを特徴とする撮像装置。
【請求項２】
焦点距離を可変可能なズーム光学手段を有し、該ズーム光学手段によって可変された焦点距離に応じて、前記撮像手段による撮影を禁止する所定期間の撮影禁止期間の長さを変える請求項１記載の撮像装置。
【請求項３】
自動で焦点を合わせる自動焦点手段と、該自動焦点手段による自動焦点機能を許可あるいは禁止する焦点合わせモードを選択する自動焦点機能選択手段とを有し、該自動焦点機能選択手段によって選択された焦点合わせモードに応じて、前記撮像手段による撮影を禁止する所定期間の撮影禁止期間の長さを変える請求項１記載の撮像装置。
【請求項４】
被写体の輝度を検出する輝度検出手段を有し、該輝度検出手段による検出結果に応じて、前記撮像手段による撮影を禁止する所定期間の撮影禁止期間の長さを変える請求項１記載の撮像装置。
【請求項５】
被写体の動き又は装置自体のゆれを検出した検出値と所定値を比較して被写体の動き又は装置自体のゆれを判定する動き判定手段を有し、該動き判定手段による判定結果に応じて、前記撮像手段による撮影を禁止する所定期間の撮影禁止期間の長さを変える請求項１記載の撮像装置。
【請求項６】
外部からの入力操作を行う外部入力操作部を有し、該外部入力操作部の入力に応じて、前記撮像手段による撮影を禁止する所定期間の撮影禁止期間の長さを変える請求項１記載の撮像装置。
【請求項７】
前記撮像手段により撮像した画像データに画像処理を施す画像処理手段と、前記撮像手段によっての画像信号に画像データ量変換処理を行う画像データ量変換手段と、画像データ量変換処理のパラメータを設定するパラメータ設定手段とを有し、該パラメータ設定手段によって設定されるパラメータに応じて、前記撮像手段による撮影を禁止する所定期間の撮影禁止期間の長さを変える請求項１記載の撮像装置。
【発明の詳細な説明】
【技術分野】
【０００１】
本発明は撮像装置に関し、詳細にはデジタルカメラにおける撮影時の手ぶれや被写体ぶれを防止する技術に関する。
【背景技術】
【０００２】
近年、デジタルカメラのズームレンズの高倍率化は進み、４倍以上のものもある。一方、ズーム焦点距離が長くなると、撮影時の手ぶれが問題となってくる。この対策として、カメラにジャイロセンサを搭載し、その角速度を検出して、光学系や撮像素子自体をぶれ方向とは逆に駆動し、撮像素子上でぶれをキャンセル技術も提案されている。また、特許文献１には、検出結果からぶれの最も少ない期間に露光タイミングをずらす手振れ撮影防止機能を備えたカメラが提案されている。更には、特許文献２には、記録開始信号から実際の露光期間を遅延させ、ぶれを起こしている期間を避ける電子カメラが提案されている。
【特許文献１】特許第２，９１３，５１１号明細書
【特許文献２】特開２０００−０３２３２６号公報
【発明の開示】
【発明が解決しようとする課題】
【０００３】
しかしながら、特許文献１によれば、センサやぶれをキャンセルする駆動部が必要である。また、特許文献２では、一律で記録開始信号からの遅延時間があると、撮影したい瞬間を常に逃すことになり、好ましくない。
【０００４】
本発明はこれらの問題点を解決するためのものであり、準備操作部の入力タイミングを元に撮影開始禁止期間を設けることで、ぶれの危険の高いタイミングでの撮影を避け、センサやぶれ補正機構を持たなくとも効果的にぶれを防止し、また不必要に撮影開始までのタイムラグが入るのも防止する撮像装置を提供することを目的とする。
【課題を解決するための手段】
【０００５】
前記問題点を解決するために、本発明の撮像装置は、被写体の光学像を結像させる光学手段と、光学手段により結像した光学像を電気的に撮像する撮像手段と、撮像手段により撮像した画像データを記憶する記憶手段と、記憶手段による記憶処理の準備を開始するための入力操作を行う準備操作部と、撮像手段による撮影を行い記憶手段による記憶処理の開始を起動するための入力操作を行う撮影操作部とを有している。そして、本発明の撮像装置は、準備操作部による入力操作が行われてから所定期間、撮影操作部による入力操作が行われても撮像手段による撮影を禁止する撮影禁止手段を有することに特徴がある。よって、撮影操作部のスイッチを一気に押した場合の反動を避けた撮影開始遅延でぶれを防止し、またフォーカスロックなどの半押し操作では遅延のない撮影ができる撮像装置を提供できる。
【０００６】
また、焦点距離を可変可能なズーム光学手段を有し、ズーム光学手段によって可変された焦点距離に応じて、撮像手段による撮影を禁止する所定期間の撮影禁止期間の長さを変えることにより、ズーム焦点距離からぶれの発生確率の高い条件時のみ撮影開始遅延を入れ、不必要に撮影遅延がないようにできる。
【０００７】
更に、自動で焦点を合わせる自動焦点手段と、自動焦点手段による自動焦点機能を許可あるいは禁止する焦点合わせモードを選択する自動焦点機能選択手段とを有し、自動焦点機能選択手段によって選択された焦点合わせモードに応じて、撮像手段による撮影を禁止する所定期間の撮影禁止期間の長さを変える。よって、フォーカスモードから不必要に撮影遅延がないようにできる。
【０００８】
また、被写体の輝度を検出する輝度検出手段を有し、輝度検出手段による検出結果に応じて、撮像手段による撮影を禁止する所定期間の撮影禁止期間の長さを変える。よって、測光結果からぶれの発生確率の高い条件時のみ撮影開始遅延を入れ、不必要に撮影遅延がないようにできる。
【０００９】
更に、被写体の動き又は装置自体のゆれを検出した検出値と所定値を比較して被写体の動き又は装置自体のゆれを判定する動き判定手段を有し、動き判定手段による判定結果に応じて、撮像手段による撮影を禁止する所定期間の撮影禁止期間の長さを変える。よって、ぶれ状態を自動で検出し、ぶれの発生確率の高い条件時のみ撮影開始遅延を入れ、不必要に撮影遅延がないようにできる。
【００１０】
また、外部からの入力操作を行う外部入力操作部を有し、外部入力操作部の入力に応じて、撮像手段による撮影を禁止する所定期間の撮影禁止期間の長さを変えることにより、外部入力操作部で撮影開始遅延の実施・非実施を使用者が選択できると共に、他のぶれ防止措置がされたことを検知して、無駄に撮影開始遅延がされるのを防ぐ。
【００１１】
更に、撮像手段により撮像した画像データに画像処理を施す画像処理手段と、撮像手段によっての画像信号に画像データ量変換処理を行う画像データ量変換手段と、画像データ量変換処理のパラメータを設定するパラメータ設定手段とを有し、パラメータ設定手段によって設定されるパラメータに応じて、撮像手段による撮影を禁止する所定期間の撮影禁止期間の長さを変える。よって、画像サイズの変更などからぶれの発生確率の高い条件時のみ撮影開始遅延を入れ、不必要に撮影遅延がないようにできる。
【発明の効果】
【００１２】
本発明の撮像装置は、準備操作部による入力操作が行われてから所定期間、撮影操作部による入力操作が行われても撮像手段による撮影を禁止する。よって、ぶれの危険の高いタイミングでの撮影を避け、センサやぶれ補正機構を持たなくとも効果的にぶれを防止し、また不必要に撮影開始までのタイムラグが入るのも防止できる。
【発明を実施するための最良の形態】
【００１３】
図１は本発明の一実施の形態例に係る撮像装置の構成を示すブロック図である。同図に示す本実施の形態例の撮像装置１００は、レンズ１０１、メカニカルシャッタ１０２、ＣＣＤ１０３、ＡＤ変換部１０４、ＤＳＰ（Digital Signal Processor）部１０５、ドライバ部１０６、ＣＣＤ駆動回路部１０７、ＣＰＵ１０８、メモリ１０９、通信ドライバ１１０、メモリカード１１１、表示部１１２、ＳＷ部１１３、音声ＣＯＤＥＣ（Compression/Decompression）部１１４及びＡＦ部１１５を含んで構成されている。そして、ＡＤ変換部１０４は、ＣＣＤ１０３からのＣＣＤ信号を相関二重サンプリングしてＣＣＤ信号に含まれるノイズ等を軽減するための相関二重サンプリング回路（以下ＣＤＳ回路と略す）及びＡ／Ｄ変換を行うＡＤ部を含んで構成されている。ＤＳＰ部１０５は、ＡＤ変換部１０４によりＡ／Ｄ変換されたデジタル信号を輝度Ｙ、色差Ｕ、Ｖ信号に変換したり、そのＹＵＶデータをＪＰＥＧ圧縮する。ドライバ部１０６はＣＰＵ１０８の制御によりレンズ１０１のフォーカス駆動やメカニカルシャッタ１０２のシャッタ開閉動作などのメカニカル部の駆動を行う。ＣＣＤ駆動回路部１０７はＣＰＵ１０８の制御によりＣＣＤ１０３の駆動を制御する。ＣＰＵ１０８は撮像装置１００の全体を制御し、本実施の形態例における撮影禁止処理を実行する。メモリ１０９は撮像した画像データ、ファイルからのリードデータを一時格納するためのメモリである。通信ドライバ１１０は外部装置２００との通信のやり取りを行う。メモリカード１１１は着脱可能なメモリカードである。表示部１１２はＤＳＰ部１０５からの映像出力信号を表示可能な信号に変換する表示コントローラ（図示せず）と実際に表示するＬＣＤ（図示せず）とを有している。ＳＷ部１１３は操作ボタン等の操作スイッチであり、画像サイズまたは画質モードを設定するものである。なお、画質モードは撮影した静止画画像の圧縮率を規定するものであり、圧縮データ量が約１／４に圧縮する低圧縮モードと約１／８に圧縮する高圧縮モードがある。圧縮方式はJPEG方式である。音声ＣＯＤＥＣ部１１４は供給される信号に対して圧縮／伸張を施すための回路であり、詳細には入力アナログ部１１４−１からの信号をデジタル変換してＤＳＰ部１０５に送り、またＤＳＰ部１０５から送られてきたデジタル音声データをアナログ変換して出力アナログ部１１４−２に出力する。なお、外部装置２００に表示装置があれば表示部１１２は無くてもよい場合も可能である。
【００１４】
このような構成を有する本実施の形態例の撮像装置１００の撮像処理について説明する。
撮像装置１００の動作は、メイン処理と、そのメイン処理と併行で処理される併行処理がある。メイン処理としては、ＳＷ判定処理、タイマ開始処理、ＡＥ（Automatic Exposure;自動露出）処理、測距処理、静止画記録処理、カード記録処理、撮影禁止期間処理、画像サイズ設定処理がある。一方、併行処理としては、ＳＷ読み込み処理、モニタリング処理、ゆれ検出処理がある。先ずメイン処理のＳＷ判定処理は、後述する２０ｍｓごとの定期タイマ割り込み処理で入力されるＳＷ情報を確定して、有効なＳＷ情報がなければ、再び何もせず、ＳＷ判定処理に戻るループを繰り返す。タイマ開始処理は計時を行う。ＡＥ処理はモニタリングで求めたＥｖ値（露出量の制御値）からそのレンズの明るさと絞り値（Ａｖ値）における撮影時のシャッタ秒時と増幅率（ゲイン）を決定する。測距処理は光学的に得られた測距データに従ってドライバ部１０６によりレンズ１０１を動かしてフォーカスを合わせる。静止画記録処理はシャッタが押下されるとＡＥ処理で撮像データを評価して撮影露出時に対するＣＣＤ駆動回路部１０７に設定するＣＣＤ１０３の露光時間値や増幅率を決める。カード記録処理は撮影データをメモリカード１１１に記録する処理である。撮影禁止期間処理は所定の期間撮影用の露光を禁止する。画像サイズ設定処理は撮影した静止画画像のサイズを規定する処理であり、ＣＣＤ１０３の縦横フルサイズデータからＤＳＰ部１０５で画像補間によりサイズ縮小した画像を得てメモリカード１１１に記録する。なお、ＣＣＤ１０３のフルサイズは例えば横２０４８画素×縦１５３６画素である。画像サイズ設定によって、フルサイズと１０２４×９６０、６４０×４８０サイズが設定できる。また、併行処理のＳＷ読み込み処理は２０ｍｓの定期タイマ割り込みで実行され、ＳＷ部１１３の状態を取得する処理である。モニタリング処理はカメラのスルー画像を表示している際のＡＥ、ＡＷＢ（Automatic White Balance）追尾処理を実行するものであり、これにより表示部１１２に表示している画像をいつも適正な明るさ、自然な色合いに保つことができる。ゆれ検出処理は定期的に実行され、メイン処理から常時ゆれ量が参照できる。
【００１５】
次に、本実施の形態例の撮像装置の撮影時の撮影禁止期間処理について図１及び当該動作フローを示す図２に従って説明する。
同図において、先ず記録モードでカメラ電源をオンされると、図示しないが撮像装置１００の内部のハードウェア初期化やカード内のファイル情報をメモリ１０９内に作成するなどの初期処理を行う。その後、記録のメイン処理が開始される。メイン処理では、モニタリング状態をチェックしてモニタリング状態が停止状態であって第１のＳＷがオンでない場合（ステップＳ１０１、ステップＳ１０２；ＹＥＳ）、現在記録中であるか否かを判定する（ステップＳ１０３）。そして記録中でない場合はモニタリング開始処理を行う（ステップＳ１０３；ＮＯ、ステップＳ１０４）。ここで、モニタリング開始処理とは、撮像部の駆動を開始し、また並行処理のモニタリング処理を起動するものである。このように、メイン処理に最初に入った場合にもモニタリング処理は実行されることになる。このモニタリング処理とは、具体的には、図１のＣＣＤ１０３の撮影データからＤＳＰ部１０５で、各ＡＥ、ＡＷＢに対する評価値をＣＰＵ１０８で取得し、その値が所定値になるように、ＣＣＤ駆動回路部１０７に露光時間のセットし、その撮像信号のＣＣＤ１０３における増幅率を設定したり、ＤＳＰ部１０５の画像処理色パラメータを調節したりするフィードバック制御を行う。なお、増幅率に関してはＤＳＰ部１０５で映像デジタル処理においても実施できる。そして、ＳＷ判定処理が行われ（ステップＳ１０５）、かつ動作モード判断処理が行われる（ステップＳ１０６）。静止画撮影時はシャッタボタンの第１のＳＷがオンされて第２のＳＷがオンされていない時点で、ＡＥ処理で撮像データをＤＳＰ部１０５で評価し、撮影露出時に対するＣＣＤ駆動回路部１０７に設定するＣＣＤ１０３の露光時間値や増幅率を決める（ステップＳ１０７；ＹＥＳ、ステップＳ１０８；ＮＯ、ステップＳ１０９〜Ｓ１１１）。次に、測距処理で、測距処理の測距データに従ってドライバ部１０６でレンズ１０１を動かしフォーカスを合わせる（ステップＳ１１２、Ｓ１１３）。
【００１６】
そして、第１のＳＷがオンとなり第２のＳＷまでオンされると（ステップＳ１０７；ＹＥＳ、ステップＳ１０８；ＹＥＳ）、静止画を撮影する。この際、図３に示すタイミングチャートに示すように、第１のＳＷから所定期間の間に、時刻ｔ０に第２のＳＷがオンされた場合図４に示すような撮影用の露光を禁止する撮影禁止処理を行う（ステップＳ１１４）。モニタリングが停止され、静止画記録処理を行い、メモリカード１１１に記録される（ステップＳ１１５、Ｓ１１６）。ぶれ現象は、レンズのＦ値が暗いなどで撮影時のシャッタ秒時が遅くなった場合に発生するが、その他第１のＳＷから第２のＳＷを連続で押し込んだ場合の反動でカメラが動くことも起因する。そのため撮影禁止期間は、上述の第１のＳＷから第２のＳＷを連続で押し込んだ場合の反動が収まる時間程度で３００ｍｓとする。これにより、時刻ｔ０に一気に押し込んだ際の反動によるぶれ撮影を防止できる。また、第１のＳＷをオンしてから、一呼吸後の時刻ｔ２に第２のＳＷをオンするタイミングの場合は、通常３００ｍｓを超えているので、撮影開始禁止は発生せず、その瞬間のタイミングで撮影される。
【００１７】
次に、撮影時の焦点距離で撮影禁止期間の長さを変える場合、ＳＷ部のズーム駆動ＳＷがオンされると（ステップＳ１１７；ＹＥＳ）、ズームを駆動する（ステップＳ１１８）。ズーム駆動ＳＷにはズーム焦点距離を短くする広角ＳＷと長くする望遠ＳＷがある。ズーム駆動ではズーム操作ＳＷが解除されるまで広角端、または望遠端まで駆動を続ける。ズーム焦点距離は８ｍｍから２４ｍｍの３倍ズームであるとする。ズーム操作ＳＷが解除されると、撮影禁止期間の値を現在のズーム焦点距離から図５の通りに決定する。広角側は撮影禁止期間を０ｍｓ、望遠端は３００ｍｓとしている。ぶれ現象は同じカメラぶれ量（角度）であっても、画角の狭い望遠側のほうが撮像面でのぶれ量が大きい。そのため、焦点距離に応じて、ぶれの目立たない広角側は撮影禁止期間を短く、逆に望遠側は撮影禁止期間を長くしている（ステップＳ１１９）。
【００１８】
そして、ＳＷ部のフォーカスモードＳＷがオンされると（ステップＳ１２０；ＹＥＳ）、自動焦点モード（ＡＦモード）と、手動で焦点合わせをするＭＦモードを選択可能とする（ステップＳ１２１）。フォーカスモード設定内では操作されるごとに、ＡＦモード、ＭＦモードを交互に設定されるとする。フォーカスモード設定後に撮影禁止期間のセットが行われる（ステップＳ１１９）。例えば、図６に示す通り、ＡＦモードで３００ｍｓ、ＭＦモードで０ｍｓをセットする。ＭＦモードは、ＡＦモードの自動で焦点を合わせる制御時間を省略し、第２のＳＷがオンとなった瞬間の撮影をしたい場合にも利用させる。このため、ＭＦモードを選択した場合には、撮影の禁止を無効にする。
【００１９】
次に、外部入力ＳＷがオンとなり外部入力が検知されると（ステップＳ１２２；ＹＥＳ）、メイン処理のＳＷ判定処理において図１の外部装置２００から情報が通信ドライバ１１０を介してＣＰＵ１０８に渡り、外部入力設定で各入力に応じた処理が実施される（ステップＳ１２３）。その後撮影禁止期間のセットを行う（ステップＳ１１９）。もし、三脚装着の検知であれば、撮影禁止期間を０ｍｓとする。なお、図１のＳＷ部１１３は三脚が装着されたことを検知するＳＷも含んでいるものとする。三脚側のネジ部が撮像装置内に入ると、切片を押して撮像装置内の抵抗でプルアップされている入力端子へ押し当てる構造となっているものとする。
【００２０】
そして、操作部で撮影画像サイズを選ぶ場合、画像サイズは撮影した静止画画像のサイズを規定するものでＣＣＤの縦横フルサイズデータから画像処理部で画像補間によりサイズ縮小した画像を得て、カードに記録する。本例では、ＣＣＤフルサイズは横２０４８画素×縦１５３６画素である。画像サイズ設定によって、フルサイズと１０２４×９６０、６４０×４８０サイズが設定できる。画像サイズを縮小することは、使用者が画像の使用用途に応じて解像度を落とすことである。その解像度を落とした分については、ぶれていても画像上でわからないので、許容できるといえる。よって、図２において画像サイズＳＷがオンとなって画像サイズ設定処理後に（ステップＳ１２４；ＹＥＳ、ステップＳ１２５）、撮影禁止期間をセットする（ステップＳ１１９）。例えば、図７に示す通りに画像サイズに応じて撮影禁止期間をセットする。
【００２１】
次に、モニタリング時などの測光データから撮影秒時を決定して秒時とズーム焦点距離から撮影禁止期間の長さを変える処理について図８の動作フローに従って説明すると、ＡＥ処理内で測光し（ステップＳ３０１）、撮影秒時ＥｖＴｉｍが決定される（ステップＳ３０２）。その直後にぶれ危険秒時ＢｌＴｉｍがセットされる（ステップＳ３０３）。ぶれ危険秒時とは、そのズーム焦点距離においてぶれが問題となってくる露光秒時のめやすである。前述の通り、画角の狭い望遠側のほうが撮像面でのぶれ量が大きくなる危険があるので、危険秒時ＢｌＴｉｍはズーム焦点距離が長いほど図９のように短い値とする。このＥｖＴｉｍとＢｌＴｉｍを比較し（ステップＳ３０４）、ＥｖＴｉｍ＜ＢｌＴｉｍであれば（ステップＳ３０４；ＹＥＳ）、ぶれが問題となるめやすの秒時より撮影秒時が短いのでぶれの危険が少なく、撮影禁止期間はゼロとする（ステップＳ３０５）。逆に、ＥｖＴｉｍがＢｌＴｉｍ以上であれば（ステップＳ３０４；ＮＯ）、撮影禁止期間を３００ｍｓとする（ステップＳ３０６）。
【００２２】
次に、本実施の形態例の撮像装置が被写体の動きまたは装置自体のゆれを判定する動き判定手段を有する場合における撮影禁止期間処理について当該処理フローを示す図１０に従って説明する。
被写体の動きは、モニタリング中の画像信号にデジタルフィルタをかけて、輪郭情報を抽出し、その動き量を検出することができる。また、装置自体のゆれは装置に取り付けた図示しないジャイロセンサの信号で検出することができる。ゆれ検出処理は、上述したように、並行処理で定期的に実行され、メイン処理から常時ゆれ量が参照できる。図示しないが、第１のＳＷがオンの時点で、そのときのゆれ量から撮影禁止期間の長さを決定する。また、上述したように、第２のＳＷのオン処理の撮影禁止期間内であっても、ゆれ検出を参照し（ステップＳ４０１、ステップＳ４０２；ＹＥＳ）、ゆれが少ないと判断したら（ステップＳ４０３；ＮＯ）、そのとき撮影禁止期間を解除し、撮影を行ってもよい。
【００２３】
なお、本発明は上記実施の形態例に限定されるものではなく、特許請求の範囲内の記載であれば多種の変形や置換可能であることは言うまでもない。
【図面の簡単な説明】
【００２４】
【図１】本発明の一実施の形態例に係る撮像装置の構成を示すブロック図である。
【図２】本実施の形態例の撮像装置の撮影時のメイン処理を示すフローチャートである。
【図３】第１、第２のＳＷのオンと撮影禁止処理とのタイミングを示すタイミングチャートである。
【図４】撮影禁止処理を示すフローチャートである。
【図５】ズーム焦点距離と撮影禁止期間の関係を示す図である。
【図６】フォーカスモードと撮影禁止期間の関係を示す図である。
【図７】画像サイズと撮影禁止期間の関係を示す図である。
【図８】秒時とズーム焦点距離から撮影禁止期間の長さを変える処理を示すフローチャートである。
【図９】ズーム焦点距離と危険秒時の関係を示す図である。
【図１０】動き判定手段を有する場合における撮影禁止期間処理を示すフローチャートである。
【符号の説明】
【００２５】
１００；撮像装置、１０１；レンズ、１０２；メカニカルシャッタ、
１０３；ＣＣＤ、１０４；ＡＤ変換部、１０５；ＤＳＰ部、
１０６；ドライバ部、１０７；ＣＣＤ駆動回路部、１０８；ＣＰＵ、
１０９；メモリ、１１０；通信ドライバ、１１１；メモリカード、
１１２；表示部、１１３；ＳＷ部、
１１４；音声ＣＯＤＥＣ部、１１４−１；入力アナログ、
１１４−２；出力アナログ、１１５；ＡＦ部、２００；外部装置。
【図１】
2006222490.tif 000003
【図２】
2006222490.tif 000004
【図３】
2006222490.tif 000005
【図４】
2006222490.tif 000006
【図５】
2006222490.tif 000007
【図６】
2006222490.tif 000008
【図７】
2006222490.tif 000009
【図８】
2006222490.tif 000010
【図９】
2006222490.tif 000011
【図１０】
2006222490.tif 000012